(57)【要約】【課題】色変換プロファイルの色材の粒状性を容易に把握することが可能な技術を提供する。【解決手段】画像処理装置Ｕ０は、色空間１００の座標値と色材の使用量とを対応付けた色変換プロファイルＰＲ１における色空間１００を表す表示用の色空間画像１１０を生成する色空間画像生成部Ｕ１と、色空間１００の座標値に応じた色材の使用量を表す使用量情報１２０を色空間画像１１０に表す使用量情報表示制御部Ｕ２と、色空間１００の座標値に応じた色材の粒状性を表す粒状性情報１３０を色空間画像１１０に表す粒状性情報表示制御部Ｕ３と、を備え、色空間画像１１０に表す粒状性情報１３０を色材の使用量の変更に基づいて変化させる。【選択図】図４
2016058765.tif 000002
【特許請求の範囲】
【請求項１】
色空間の座標値と色材の使用量とを対応付けた色変換プロファイルにおける色空間を表す表示用の色空間画像を生成する色空間画像生成部と、
前記色空間の座標値に応じた色材の使用量を表す使用量情報を前記色空間画像に表す使用量情報表示制御部と、
前記色空間の座標値に応じた色材の粒状性を表す粒状性情報を前記色空間画像に表す粒状性情報表示制御部と、を備え、
前記色空間画像に表す粒状性情報を前記色材の使用量の変更に基づいて変化させる、画像処理装置。
【請求項２】
前記色空間の座標値に対応付けられた色材の使用量を調整する入力を受け付けて前記色材の使用量を調整する使用量調整部を備える、請求項１に記載の画像処理装置。
【請求項３】
前記色空間の座標値に応じた色情報を前記色空間画像に表す色情報表示制御部を備える、請求項１又は請求項２に記載の画像処理装置。
【請求項４】
前記使用量情報表示制御部は、前記使用量情報を前記色空間画像に表す色材の色の指定を受け付け、指定された色の色材についての前記使用量情報を前記色空間画像に表す、請求項１〜請求項３のいずれか一項に記載の画像処理装置。
【請求項５】
複数の光源下の色彩値に基づいた色差であって前記色空間の座標値に応じた色差を表す色差情報を前記色空間画像に表す色差情報表示制御部を備える、請求項１〜請求項４のいずれか一項に記載の画像処理装置。
【請求項６】
色空間の座標値と色材の使用量とを対応付けた色変換プロファイルにおける色空間を表す表示用の色空間疑似三次元画像を生成する色空間画像生成部と、
前記色空間の座標値に応じた色材の粒状性を表す粒状性情報を前記色空間疑似三次元画像に表す粒状性情報表示制御部と、を備える、表示制御装置。
【請求項７】
色空間の座標値と色材の使用量とを対応付けた色変換プロファイルにおける色空間を表す表示用の色空間画像を生成する色空間画像生成工程と、
前記色空間の座標値に応じた色材の使用量を表す使用量情報を前記色空間画像に表す使用量情報表示制御工程と、
前記色空間の座標値に応じた色材の粒状性を表す粒状性情報を前記色空間画像に表す粒状性情報表示制御工程と、を含み、
前記色空間画像に表す粒状性情報を前記色材の使用量の変更に基づいて変化させる、画像処理方法。
【請求項８】
色空間の座標値と色材の使用量とを対応付けた色変換プロファイルにおける色空間を表す表示用の色空間画像を生成する色空間画像生成機能と、
前記色空間の座標値に応じた色材の使用量を表す使用量情報を前記色空間画像に表す使用量情報表示制御機能と、
前記色空間の座標値に応じた色材の粒状性を表す粒状性情報を前記色空間画像に表す粒状性情報表示制御機能と、
前記色空間画像に表す粒状性情報を前記色材の使用量の変更に基づいて変化させる機能と、をコンピューターに実現させる、画像処理プログラム。
【発明の詳細な説明】
【技術分野】
【０００１】
本発明は、色変換プロファイルにおける色空間の表示制御を行う技術に関する。
【背景技術】
【０００２】
例えばＣＭＹＫ（シアン、マゼンタ、イエロー、ブラック）といった各色のインク滴を吐出して被印刷物に画像を色再現するため、ＣＩＥ（国際照明委員会）Ｌ*ａ*ｂ*色空間の座標値と各インクの使用量とを対応付けた色変換プロファイルが使用されている。色変換プロファイルを作成する作業者は、被印刷物に形成されるインクドットの粒状感が目立たないようにＬ*ａ*ｂ*色空間の座標値と各インクの使用量との対応関係を各格子点について規定する作業を行っている。
【０００３】
特許文献１には、色再現域の異なる表示媒体間において表示カラー画像の知覚的一致を計るガマットマッピングのための色情報解析装置が開示されている。この色情報解析装置は、ＲＧＢ（赤、緑、青）表色系において規則的に配置された標本点がＬ*ａ*ｂ*表色系に於いてどのような色座標を取りうるかを疑似三次元表示する。
【先行技術文献】
【特許文献】
【０００４】
【特許文献１】特開２００２−２２２４３２号公報
【発明の概要】
【発明が解決しようとする課題】
【０００５】
色変換プロファイルの格子点数は膨大であるため、インクの粒状性を低減させるように色変換プロファイルの各格子点のインク使用量を規定する作業に労力がかかる。そこで、色変換プロファイルの各格子点のインク使用量を規定する作業を軽減させることが望まれる。特許文献１に開示される色情報解析装置は、インクの粒状性が考慮されておらず、前述の課題を解決することができない。
【０００６】
尚、上記の課題は、Ｌ*ａ*ｂ*色空間の座標値とＣＭＹＫのインク使用量とを対応付けた色変換プロファイルにおける色空間の表示制御を行う技術に限らず、種々の技術についても同様に存在する。
【０００７】
以上を鑑み、本発明の目的の一つは、色変換プロファイルの色材の粒状性を容易に把握することが可能な技術を提供することにある。
【課題を解決するための手段】
【０００８】
上記目的の一つを達成するため、本発明の画像処理装置は、色空間の座標値と色材の使用量とを対応付けた色変換プロファイルにおける色空間を表す表示用の色空間画像を生成する色空間画像生成部と、
前記色空間の座標値に応じた色材の使用量を表す使用量情報を前記色空間画像に表す使用量情報表示制御部と、
前記色空間の座標値に応じた色材の粒状性を表す粒状性情報を前記色空間画像に表す粒状性情報表示制御部と、を備え、
前記色空間画像に表す粒状性情報を前記色材の使用量の変更に基づいて変化させる、態様を有する。
【０００９】
上記態様は、色変換プロファイルの色材の粒状性を容易に改善することが可能な技術を提供することができる。
【００１０】
また、本発明の表示制御装置は、色空間の座標値と色材の使用量とを対応付けた色変換プロファイルにおける色空間を表す表示用の色空間疑似三次元画像を生成する色空間画像生成部と、
前記色空間の座標値に応じた色材の粒状性を表す粒状性情報を前記色空間疑似三次元画像に表す粒状性情報表示制御部と、を備える、態様を有する。
【００１１】
上記態様は、色変換プロファイルの色材の粒状性を容易に把握することが可能な技術を提供することができる。
【００１２】
さらに、本発明は、画像処理装置を含む表示装置といった複合装置、表示制御装置を含む複合装置、上述した各部に対応した工程を含む画像処理方法や表示制御方法といった方法、上述した各部に対応した機能をコンピューターに実現させる画像処理プログラムや表示制御プログラムといったプログラム、これらのプログラムを記録したコンピューター読み取り可能な媒体、等に適用可能である。前述の装置は、分散した複数の部分で構成されてもよい。
【図面の簡単な説明】
【００１３】
【図１】入力画像を色変換して印刷するシステムの例を模式的に示す図。
【図２】色変換プロファイルから色変換テーブルを作成する例を模式的に示す図。
【図３】色変換テーブル生成システムの構成例を模式的に示すブロック図。
【図４】色変換プロファイル修正処理の例を模式的に示すフローチャート。
【図５】色変換プロファイルの構造の例を模式的に示す図。
【図６】操作画面の例を模式的に示す図。
【図７】表示する色空間画像の範囲に対応した元空間の範囲を模式的に示す図。
【図８】設定された範囲の色空間画像を疑似三次元表示する例を模式的に示す図。
【図９】色空間疑似三次元画像を構成する三角形を模式的に示す図。
【図１０】（ａ）〜（ｄ）は色空間疑似三次元画像の例を模式的に示す図。
【図１１】表示色設定画面の例を模式的に示す図。
【図１２】インク量調整画面の例を模式的に示す図。
【図１３】インク量セットを最適化する処理の流れを模式的に例示する図。
【図１４】分光反射率データベースの構造を模式的に例示する図。
【図１５】分光ノイゲバウアモデルを模式的に例示する図。
【図１６】セル分割ユール・ニールセン分光ノイゲバウアモデルを模式的に例示する図。
【図１７】粒状性指数ＧＩを算出する様子を模式的に例示する図。
【発明を実施するための形態】
【００１４】
以下、本発明の実施形態を説明する。むろん、以下の実施形態は本発明を例示するものに過ぎず、実施形態に示す特徴の全てが発明の解決手段に必須になるとは限らない。
【００１５】
（１）本技術の概要：
まず、図１〜１７を参照して本技術の概要を説明する。
【００１６】
図３に例示される画像処理装置Ｕ０は、色空間画像生成部Ｕ１、使用量情報表示制御部Ｕ２、及び、粒状性情報表示制御部Ｕ３を備える。色空間画像生成部Ｕ１は、色空間１００（例えばＬ*ａ*ｂ*色空間）の座標値（例えばＬｉ，ａｉ，ｂｉ）と色材（例えばＣＭＹＫ…のインク）の使用量（例えばＣｉ，Ｍｉ，Ｙｉ，Ｋｉ，…）とを対応付けた色変換プロファイルＰＲ１における色空間１００を表す表示用の色空間画像１１０を生成する。使用量情報表示制御部Ｕ２は、前記色空間１００の座標値に応じた色材の使用量を表す使用量情報１２０（例えば図１０（ａ）参照）を前記色空間画像１１０に表す。粒状性情報表示制御部Ｕ３は、前記色空間１００の座標値に応じた色材の粒状性を表す粒状性情報１３０（例えば図１０（ｂ）参照）を前記色空間画像１１０に表す。本画像処理装置Ｕ０は、前記色空間画像１１０に表す粒状性情報１３０を前記色材の使用量の変更に基づいて変化させる。
【００１７】
色空間画像１１０に表される粒状性情報１３０が色材の使用量の変更に基づいて変化するので、ユーザーは色変換プロファイルＰＲ１の色空間１００における色材の粒状性の分布を容易に把握することができる。従って、本技術は、色変換プロファイルの色材の粒状性を容易に改善することが可能となる。
【００１８】
ここで、上記色空間は、色を表現する観念上の三次元以上の空間を意味する。色空間には、機器独立色空間、機器従属色空間、均等色空間、均等でない色空間、のいずれも含まれる。機器独立色空間、且つ、均等色空間としては、Ｌ*ａ*ｂ*色空間、Ｌ*ｕ*ｖ*色空間、等がある。機器独立色空間、且つ、均等でない色空間には、ＣＩＥ ＸＹＺ色空間、ＮＴＳ ＣＲＧＢ色空間、等がある。機器従属色空間、且つ、均等でない色空間には、ｓＲＧＢ色空間等がある。
上記色空間画像は、観念上の色空間を模式的に表現した可視化可能な画像を意味する。色空間画像には、疑似三次元画像、二次元画像、等が含まれる。色空間画像は、色材により色再現可能な全範囲を表す画像でもよいし、色材により色再現される一部の範囲を表す画像でもよい。色空間画像を生成することには、実際に色空間画像を可視化することのみならず、例えば、外部の表示装置に出力するためのデータである色空間画像を生成する等、可視化されていない色空間画像を生成することも含まれる。
上記色材には、インク、トナー、等が含まれる。
上記色空間の表示は、汎用の機器で色空間を感覚的に把握することができる点で疑似三次元表示が好ましいものの、３Ｄ（三次元）眼鏡又は裸眼による立体映像表示、平面表示、等でもよい。
【００１９】
ところで、本画像処理装置Ｕ０は、前記色空間１００の座標値に対応付けられた色材の使用量を調整する入力を受け付けて（例えば図１２参照）前記色材の使用量を調整する使用量調整部Ｕ４を備えてもよい。この態様は、色材の使用量を調整することにより色材の粒状性を調整することができるので、色変換プロファイルの色材の粒状性を改善することがさらに容易となる。
【００２０】
また、本画像処理装置Ｕ０は、前記色空間１００の座標値に応じた色情報１４０（例えば図１０（ｃ）参照）を前記色空間画像１１０に表す色情報表示制御部Ｕ５を備えてもよい。この態様は、色空間１００の座標値に応じた色情報１４０も色空間画像１１０に表されるので、色変換プロファイルの色再現性を容易に把握することが可能となる。
【００２１】
さらに、前記使用量情報表示制御部Ｕ２は、前記使用量情報１２０を前記色空間画像１１０に表す色材の色の指定を受け付け（例えば図６のインク色選択欄３１３を参照）、指定された色の色材についての前記使用量情報１２０を前記色空間画像１１０に表してもよい。この態様は、指定された色の色材の使用量を表す使用量情報１２０が色空間画像１１０に表されるので、色変換プロファイルＰＲ１における各色の色材の使用量を容易に把握することが可能となる。
【００２２】
さらに、本画像処理装置Ｕ０は、複数の光源下の色彩値に基づいた色差であって前記色空間１００の座標値に応じた色差を表す色差情報１５０（例えば図１０（ｄ）参照）を前記色空間画像１１０に表す色差情報表示制御部Ｕ６を備えてもよい。この態様は、色空間１００の座標値に応じた色差情報１５０も色空間画像１１０に表されるので、色変換プロファイルの座標値に応じた色差を容易に把握することが可能となる。
【００２３】
ところで、本技術は、色空間１００の座標値と色材の使用量とを対応付けた色変換プロファイルＰＲ１における色空間１００を表す表示用の色空間疑似三次元画像（１１０）を生成する色空間画像生成部Ｕ１と、
前記色空間１００の座標値に応じた色材の粒状性を表す粒状性情報１３０を前記色空間疑似三次元画像（１１０）に表す粒状性情報表示制御部Ｕ３と、を備える表示制御装置Ｕ１０の態様も有する。
【００２４】
また、本技術は、色空間１００の座標値と色材の使用量とを対応付けた色変換プロファイルＰＲ１における色空間１００を表す表示用の色空間疑似三次元画像（１１０）を生成する色空間画像生成工程と、
前記色空間１００の座標値に応じた色材の粒状性を表す粒状性情報１３０を前記色空間疑似三次元画像（１１０）に表す粒状性情報表示制御工程と、を含む表示制御方法の態様も有する。
【００２５】
さらに、本技術は、色空間１００の座標値と色材の使用量とを対応付けた色変換プロファイルＰＲ１における色空間１００を表す表示用の色空間疑似三次元画像（１１０）を生成する色空間画像生成機能と、
前記色空間１００の座標値に応じた色材の粒状性を表す粒状性情報１３０を前記色空間疑似三次元画像（１１０）に表す粒状性情報表示制御機能と、をコンピューターに実現させる表示制御プログラムの態様も有する。
【００２６】
上述した態様は、色空間１００の座標値に応じた粒状性情報１３０が色空間疑似三次元画像（１１０）に表されるので、色変換プロファイルの色材の粒状性を容易に把握することが可能となる。
【００２７】
（２）印刷システムの構成の具体例：
まず、図１を参照して、本技術を利用して得られる色変換テーブル（ＬＵＴ）２００を使用する印刷システムＳＹＰを説明する。以下、色変換テーブルをＬＵＴと呼ぶことにする。ＬＵＴは、ルックアップテーブルの略である。尚、図１に示すＬＵＴ２００の格子点Ｇ１の数は模式的にＣＭＹの各軸方向において４個としているが、通常、各軸方向における格子点の数は例えば１７個や３３個等、４個よりも多い。
【００２８】
図１は、入力画像ＩＭ１を色変換して被印刷物Ｍ１に印刷する印刷システムＳＹＰを模式的に示している。図１に示すＬＵＴ２００は、ＣＭＹ表色系の座標値Ｃ０ｉ，Ｍ０ｉ，Ｙ０ｉとＣＭＹＫ…のインク（色材）の使用量Ｃｉ，Ｍｉ，Ｙｉ，Ｋｉ，…との対応関係を各格子点Ｇ１について規定した情報テーブルである。尚、ｉは、格子点Ｇ１を識別するための変数である。むろん、入力表色系は、４次元以上でもよく、ＣＭＹ表色系以外にも、ＲＧＢ表色系、ＣＭＹＫ表色系、等でもよい。また、インクは、ＣＭＹＫの４色のインクでもよいし、ＣＭＹＫのインクの他にＬｃ（ライトシアン）、Ｌｍ（ライトマゼンタ）、Ｌｋ（ライトブラック）、Ｄｙ（ダークイエロー）、Ｏｒ（オレンジ）、Ｇｒ（グリーン）、等のインク、さらに画質向上用の無着色インク、等が含まれてもよい。ここで、ＬｃはＣよりも低濃度のシアンであり、ＬｍはＭよりも低濃度のマゼンタであり、ＬｋはＫよりも低濃度の無彩色であり、ＤｙはＹよりも高濃度のイエローである。ＬＵＴ２００は、図２，３に示すＬＵＴ生成システム（色変換テーブル生成システム）ＳＹ１を利用して作成することができる。
【００２９】
図１に示す入力画像ＩＭ１は、互いに直交する（異なる）ｘ，ｙ方向へ画素ＰＸ１が並べられ、各画素ＰＸ１にＣＭＹ表色系の座標値Ｃ０ｐ，Ｍ０ｐ，Ｙ０ｐが格納されている。尚、ｐは、画素ＰＸ１を識別するための変数である。画素ＰＸ１に格納される座標値は、例えば２５６階調の整数値等で表すことができる。印刷システムＳＹＰは、ＬＵＴ２００を参照して画素毎にＣＭＹ表色系の座標値Ｃ０ｐ，Ｍ０ｐ，Ｙ０ｐをインク使用量Ｃｐ，Ｍｐ，Ｙｐ，Ｋｐ，…に変換する。得られる変換画像ＩＭ２は、互いに直交する（異なる）ｘ，ｙ方向へ画素ＰＸ１が並べられ、各画素ＰＸ１に各インクの使用量Ｃｐ，Ｍｐ，Ｙｐ，Ｋｐ，…が格納される。画素ＰＸ１に格納されるインク使用量は、例えば２５６階調の整数値等で表すことができる。印刷システムＳＹＰは、記録ヘッドＨＥ１からＣＭＹＫ…のインク滴を吐出して印刷画像ＩＭ３を構成するドットを被印刷物Ｍ１に形成する。
【００３０】
（３）画像処理装置及び表示制御装置を含むＬＵＴ生成システムの構成の具体例：
図２は、色変換プロファイルＰＲ１からＬＵＴ２００を作成する例を模式的に示している。図３は、インク量予測システムＳＹ２を含むＬＵＴ生成システムＳＹ１の構成例を模式的に示している。
色変換プロファイルＰＲ１には多くの格子点Ｇ１が含まれるため、色変換プロファイルＰＲ１の情報量は膨大である。本技術は、そのような色変換プロファイルＰＲ１の情報を、大局的に又は局所的に、定性的に又は定量的に、簡便に評価することができる。
【００３１】
図２に示す色変換プロファイルＰＲ１は、ＣＭＹ表色系の座標値Ｃ０ｉ，Ｍ０ｉ，Ｙ０ｉ、Ｄ５０光源（基準光源）下におけるＬ*ａ*ｂ*色空間の色彩値Ｌｉ，ａｉ，ｂｉ、インクＣＭＹＫ…の使用量Ｃｉ，Ｍｉ，Ｙｉ，Ｋｉ，…、等の対応関係が各格子点Ｇ１について規定されている。座標値Ｃ０ｉ，Ｍ０ｉ，Ｙ０ｉと色彩値Ｌｉ，ａｉ，ｂｉとの対応関係は、各格子点Ｇ１に色彩値Ｌｉ，ａｉ，ｂｉを有するＣＭＹの元空間１９０で模式的に表すことができる。元空間１９０は、ＣＭＹの各軸を座標軸とする観念上の三次元空間である。尚、図２に示す元空間１９０及び色空間１００の全範囲の格子点Ｇ１は模式的にＣＭＹの各軸方向において４個としているが、上述したように、各軸方向における格子点の数は通常、４個よりも多い。また、基準光源は、Ｄ５０光源に限定されず、Ｄ５５光源等でもよいし、Ｄ６５光源とＡ光源の組合せなど複数の観察光源の組合せでもよい。
【００３２】
元空間１９０における各格子点Ｇ１は各軸に沿って規則正しく並んでいても、色彩値Ｌｉ，ａｉ，ｂｉに基づいてＬ*ａ*ｂ*色空間に配置される各格子点Ｇ１はＬ*ａ*ｂ*の各軸に沿った配置となるとは限らない。図２には、色変換プロファイルＰＲ１において色彩値Ｌｉ，ａｉ，ｂｉとインク使用量Ｃｉ，Ｍｉ，Ｙｉ，Ｋｉ，…との対応関係を模式的に表す色空間１００を示している。この色空間１００は、Ｌ*ａ*ｂ*の各軸を座標軸とする観念上の三次元空間である。本ＬＵＴ生成システムＳＹ１は、色空間１００をユーザーが把握することができるように色空間画像１１０として疑似三次元表示する。ユーザーは、疑似三次元表示される色空間画像１１０を見ながら色変換プロファイルＰＲ１を調整することができ、最終的にＣＭＹ表色系の座標値Ｃ０ｉ，Ｍ０ｉ，Ｙ０ｉとインク使用量Ｃｉ，Ｍｉ，Ｙｉ，Ｋｉ，…を対応付けたＬＵＴ２００を作成することができる。
【００３３】
図３に示すＬＵＴ生成システムＳＹ１は、プリンター２０、画像入力装置３０、ディスプレイ４０、操作入力装置５０、等が接続されるホスト装置Ｈ１を備えている。ＬＵＴ生成システムＳＹ１に設けられるインク量予測システムＳＹ２は、ホスト装置Ｈ１に構成される。ホスト装置Ｈ１では、ＣＰＵ（Central Processing Unit）１１、ＲＡＭ（Random Access Memory）１２、ＲＯＭ（Read Only Memory）１３、ハードディスクドライブ（ＨＤＤ）１４、汎用インターフェイス（ＧＩＦ）１５、ビデオインターフェイス（ＶＩＦ）１６、入力インターフェイス（ＩＩＦ）１７、等がバス１８に接続されて互いに情報を入出力可能とされている。ＨＤＤ１４には、オペレーティングシステム（ＯＳ）、画像処理プログラムＰＧ０を含む各種プログラム、色変換プロファイルＰＲ１、ＬＵＴ２００、等が記憶されている。ＣＰＵ１１は、各種プログラムを適宜ＲＡＭ１２へ読み出し、該読み出したプログラムに従ってホスト装置全体を制御する。画像処理プログラムＰＧ０は、画像処理装置Ｕ０の各部Ｕ１〜Ｕ６に対応した機能をホスト装置Ｈ１に実現させ、ホスト装置Ｈ１を画像処理装置Ｕ０として機能させる。本技術の画像処理方法は、画像処理装置Ｕ０で実施され、各部Ｕ１〜Ｕ６に対応した工程を含む。
【００３４】
色空間画像生成部Ｕ１は、色変換プロファイルＰＲ１における色空間１００を表す疑似三次元表示用の色空間画像１１０を生成する。使用量情報表示制御部Ｕ２は、図１０（ａ）に例示するように色空間１００の座標値Ｌｉ，ａｉ，ｂｉに応じたインク使用量Ｃｉ，Ｍｉ，Ｙｉ，Ｋｉ，…を表す使用量情報１２０を色空間画像１１０に表す。粒状性情報表示制御部Ｕ３は、図１０（ｂ）に例示するように色空間１００の座標値Ｌｉ，ａｉ，ｂｉに応じたインクＣＭＹＫ…の粒状性を表す粒状性情報１３０を色空間画像１１０に表す。使用量調整部Ｕ４は、色空間画像１１０に表す粒状性情報１３０をインク使用量Ｃｉ，Ｍｉ，Ｙｉ，Ｋｉ，…の変更に基づいて変化させる。色情報表示制御部Ｕ５は、図１０（ｃ）に例示するように色空間１００の座標値Ｌｉ，ａｉ，ｂｉに応じた色情報１４０を色空間画像１１０に表す。色差情報表示制御部Ｕ６は、色空間１００の座標値Ｌｉ，ａｉ，ｂｉに応じた色差を表す色差情報１５０を色空間画像１１０に表す。尚、画像処理装置Ｕ０に含まれる表示制御装置Ｕ１０は、基本要素として色空間画像生成部Ｕ１と粒状性情報表示制御部Ｕ３を備える。
【００３５】
ＧＩＦ １５には、画像出力装置であるプリンター２０、測色器やスキャナーといった画像入力装置３０、等が接続される。ＧＩＦ １５には、ＵＳＢ（Universal Serial Bus）等を採用することができる。ＶＩＦ １６には、画像出力装置であるディスプレイ４０等が接続される。ＩＩＦ １７には、操作入力装置５０であるキーボード５０ａ、同じく操作入力装置５０であるポインティングデバイス５０ｂ、等が接続される。ポインティングデバイス５０ｂには、マウス等を用いることができる。
【００３６】
図４は、ＬＵＴ生成システムＳＹ１で行われる色変換プロファイル修正処理の例を模式的に示している。この処理は、画像処理装置Ｕ０を構成するホスト装置Ｈ１が中心となって行う。尚、ステップＳ１０６は色空間画像生成部Ｕ１に対応し、ステップＳ１１２は使用量情報表示制御部Ｕ２に対応し、ステップＳ１１４は粒状性情報表示制御部Ｕ３に対応し、ステップＳ１１６は色情報表示制御部Ｕ５に対応し、ステップＳ１１８は色差情報表示制御部Ｕ６に対応し、ステップＳ１２０は使用量調整部Ｕ４に対応している。以下、「ステップ」の記載を省略する。
【００３７】
ユーザーが画像処理プログラムＰＧ０を含むＬＵＴ生成プログラムを起動させると、色変換プロファイル修正処理が開始し、ＬＵＴ生成システムＳＹ１は色変換プロファイルＰＲ１を有するＬＵＴ特性ファイルＦ１の指定を受け付ける（Ｓ１０２）。この処理は、例えば、ＨＤＤ１４にインク量予測システムＳＹ２として記憶されているＬＵＴ特性ファイルＦ１の一覧をディスプレイ４０に表示し、操作入力装置５０によりＬＵＴ特性ファイルＦ１のいずれかを指定する操作を受け付ける処理とすることができる。Ｓ１０４では、ユーザーにより指定されたＬＵＴ特性ファイルＦ１を読み込む。
【００３８】
図５は、ＬＵＴ特性ファイルＦ１に含まれる色変換プロファイルＰＲ１の構造の例を模式的に示している。色変換プロファイルＰＲ１は、各格子点Ｇ１について、ＣＭＹ表色系の座標値Ｃ０ｉ，Ｍ０ｉ，Ｙ０ｉ、インクＣＭＹＫ…の使用量Ｃｉ，Ｍｉ，Ｙｉ，Ｋｉ，…、Ｄ５０光源下におけるＬ*ａ*ｂ*色空間の色彩値Ｌｉ，ａｉ，ｂｉ、及び、粒状性指数ＧＩ、Ｄ５０光源下の色彩値Ｌｉ，ａｉ，ｂｉと各種光源下の色彩値（Ｌ２ｉ，ａ２ｉ，ｂ２ｉとする）との色差ΔＥの対応関係を規定している。粒状性指数ＧＩは、ある印刷物を視認した観察者が感じる粒状感（あるいはノイズ）の程度を表す指数であり、大きいほど観察者が感じる粒状感が大きく、小さいほど観察者が感じる粒状感が小さくなる。粒状性指数ＧＩには、例えば、特表2007-511161号公報に示される粒状性指数ＧＩを用いることができる。粒状性指数ＧＩの詳細は、後述する。色差ΔＥとして、図５には、Ｄ５０光源下の色彩値とＤ５５，Ｄ６５，Ａ，Ｆ１，Ｆ２，Ｆ１２光源下の色彩値との色差ΔＤ５５，ΔＤ６５，ΔＡ，ΔＦ１，ΔＦ２，ΔＦ１２を例示している。色差ΔＥは、ΔＥ＝｛（Ｌ２ｉ−Ｌｉ）2＋（ａ２ｉ−ａｉ）2＋（ｂ２ｉ−ｂｉ）2｝1/2により算出してもよいし、ＣＩＥ ＤＥ２０００の色差式（ΔＥ2000）に基づいて算出してもよい。
【００３９】
ＬＵＴ特性ファイルＦ１の読み込み後、ホスト装置Ｈ１は、初期の３Ｄオブジェクト（色空間画像１１０）を生成してディスプレイ４０に表示させる（Ｓ１０６）。生成対象の３Ｄオブジェクトは、図２に示すように色変換プロファイルＰＲ１における色空間１００を表す疑似三次元表示用の色空間疑似三次元画像である。初期の３Ｄオブジェクトは、色再現可能な全範囲の色空間の外郭を後述の情報１２０，１３０，１４０，１５０が表されていない状態で示す疑似三次元画像であるものとする。また、ワールド座標系の３Ｄオブジェクトの情報や、ワールド座標をスクリーン座標に変換するジオメトリ処理のための情報といった、疑似三次元表示に必要な疑似三次元表示用情報を初期情報に設定する。この疑似三次元表示用情報には、ワールド座標系における３Ｄオブジェクトの位置、ワールド座標系における３Ｄオブジェクトの回転角、ワールド座標系における視点の座標、ワールド座標系における視線のベクトル、ワールド座標系をスクリーン座標系へ変換するための情報、等が含まれる。３Ｄオブジェクトは、例えば、Ｌ*ａ*ｂ*色空間におけるＬ*軸とａ*軸とｂ*軸を有するワールド座標系に色変換プロファイルＰＲ１の格子点Ｇ１の色彩値Ｌｉ，ａｉ，ｂｉを座標値とした外郭を描画してスクリーン座標系に変換することにより生成することができる。
【００４０】
３Ｄオブジェクトの表示後、ホスト装置Ｈ１は、図６に示すような操作画面３００をディスプレイ４０に表示させ、操作入力装置５０に対するユーザーの操作を待つ（Ｓ１０８）。
図６に示す操作画面３００には、表示設定表示領域３１０、カラー設定表示領域３２０、視点表示領域３３０、Crop表示領域３４０、及び、各種操作ボタン３５０，３６０，３７０，３８０が設けられている。まず、Crop表示領域３４０への操作による色空間画像１１０の変化について、説明する。
【００４１】
図７は、疑似三次元表示する色空間画像１１０の範囲に対応したＣＭＹの元空間１９０の範囲を模式的に示している。Crop表示領域３４０では、スライドバー３４１と入力欄３４２の少なくとも一方への操作により、表示する色空間画像１１０の範囲に対応させる元空間１９０におけるＣＭＹの各軸方向の範囲を設定することができる。図６に示すCrop表示領域３４０では、Ｃ軸方向の最小値Ｃｍｉｎ、Ｃ軸方向の最大値Ｃｍａｘ、Ｍ軸方向の最小値Ｍｍｉｎ、Ｍ軸方向の最大値Ｍｍａｘ、Ｙ軸方向の最小値Ｙｍｉｎ、及び、Ｙ軸方向の最大値Ｙｍａｘを設定することができる。疑似三次元表示される色空間画像１１０は、元空間１９０においてＣｍｉｎ≦Ｃ０ｉ≦Ｃｍａｘ、且つ、Ｍｍｉｎ≦Ｍ０ｉ≦Ｍｍａｘ、且つ、Ｙｍｉｎ≦Ｙ０ｉ≦Ｙｍａｘに対応した範囲となる。
【００４２】
図８は、Crop表示領域３４０で設定された範囲の色空間画像１１０を疑似三次元表示する例を模式的に示している。図８の上側はＹ軸方向の最小値ＹｍｉｎがＹ１に設定されたときの元空間１９０及び色空間画像１１０を示し、図８の下側はＹ軸方向の最小値ＹｍｉｎがＹ２（Ｙ２＞Ｙ１）に設定されたときの元空間１９０及び色空間画像１１０を示している。図８に示すように、元空間１９０のＹ軸方向の範囲が狭まると色空間画像１１０の範囲も狭まり、元空間１９０のＹ軸方向の範囲が広がると色空間画像１１０の範囲も広がる。ＬＵＴ生成システムＳＹ１は、Crop表示領域３４０で各種値Ｃｍｉｎ，Ｃｍａｘ，Ｍｍｉｎ，Ｍｍａｘ，Ｙｍｉｎ，Ｙｍａｘの設定を受け付けると、これらの値に基づいて色空間画像１１０を更新してディスプレイ４０に表示する。
【００４３】
次に、図６に示す視点表示領域３３０について、説明する。視点表示領域３３０には、Topボタン、Bottomボタン、Frontボタン、Backボタン、Leftボタン、及び、Rightボタンの各操作部が設けられている。例えば、Topボタンは、３ＤオブジェクトをＬ*軸の＋側に視点を設定するための操作部である。Bottomボタンは、３ＤオブジェクトをＬ*軸の−側に視点を設定するための操作部である。Frontボタンは、３Ｄオブジェクトをａ*軸の−側に視点を設定するための操作部である。Backボタンは、３Ｄオブジェクトをａ*軸の＋側に視点を設定するための操作部である。Leftボタンは、３Ｄオブジェクトをｂ*軸の−側に視点を設定するための操作部である。Rightボタンは、３Ｄオブジェクトをｂ*軸の＋側に視点を設定するための操作部である。これらのボタンのいずれかが操作されると、ＬＵＴ生成システムＳＹ１は、操作されたボタンに応じた視点を設定し、新たな設定値に基づいて色空間画像１１０を更新してディスプレイ４０に表示する。むろん、各操作部の設定は、これらの組合せに限定されない。また、色空間画像１１０の疑似三次元表示画面上でポインティングデバイス５０ｂを操作することにより、任意の位置に視点を設定可能である。
【００４４】
図６に示す表示設定表示領域３１０には、ポインティングデバイス５０ｂで選択操作可能なラジオボタン３１１，３１２，３１４、及び、インク色選択欄３１３が設けられている。外郭面ラジオボタン３１１が選択操作されると、ＬＵＴ生成システムＳＹ１は、色空間１００の外郭面を表す色空間画像１１０を表示する外郭面表示設定に表示設定を切り替える。インク色ラジオボタン３１２が選択操作されると、ＬＵＴ生成システムＳＹ１は、インク色選択欄３１３からＣＭＹＫ…のインク色の選択操作を受け付け、選択操作されたインク色を設定インク色として記憶する。ワイヤーフレーム表示ラジオボタン３１４が選択操作されると、ＬＵＴ生成システムＳＹ１は、カラー設定表示領域３２０でカラー無しラジオボタン３２１が選択操作された場合に色空間１００のワイヤーフレーム構造を表す色空間画像１１０を表示するワイヤーフレーム表示設定に表示設定を切り替える。尚、ワイヤーフレーム表示の場合、色空間の外郭面のうち視点とは反対側の背後にあるワイヤーフレーム構造も表示される。
【００４５】
図６に示すカラー設定表示領域３２０には、ポインティングデバイス５０ｂで選択操作可能なラジオボタン３２１，３２２，３２３，３２４，３２５、及び、光源選択欄３２６が設けられている。
カラー無しラジオボタン３２１が選択操作されると、ホスト装置Ｈ１は、表示設定が上記外郭面表示設定である場合に色空間１００の外郭面のみを表す色空間画像１１０（図２参照）の疑似三次元表示データを生成し、表示設定が上記ワイヤーフレーム表示設定である場合に色空間１００のワイヤーフレーム構造のみを表す色空間画像１１０の疑似三次元表示データを生成する（Ｓ１１０）。その後、ホスト装置Ｈ１は、表示データに基づいて３Ｄオブジェクトをディスプレイ４０に表示させる（Ｓ１０６）。カラー無しの色空間画像は、例えば、ガマットの広さ、格子点の配置の滑らかさ、等を確認するのに役立つ。
【００４６】
インク量ラジオボタン３２２は、インク色ラジオボタン３１２が選択操作されているときに選択操作可能である。このインク量ラジオボタン３２２が選択操作されると、ホスト装置Ｈ１は、インク色選択欄３１３で受け付けた色について、色空間１００においてCrop表示領域３４０で設定された範囲の外郭面に座標値Ｌｉ，ａｉ，ｂｉに応じた使用量情報１２０を有する色空間画像１１０の疑似三次元表示データを生成する（Ｓ１１２）。使用量情報１２０は、色変換プロファイルＰＲ１の色空間１００の座標値Ｌｉ，ａｉ，ｂｉに応じたインク使用量Ｃｉ，Ｍｉ，Ｙｉ，Ｋｉ，…のいずれかを初期設定の色、又は、図１１の表示色設定画面４００において設定される色で表す情報である。例えば、インク色選択欄３１３でＣが選択操作された場合、座標値Ｌｉ，ａｉ，ｂｉに応じたＣのインク使用量Ｃｉを色で表す使用量情報１２０を有する色空間画像１１０の疑似三次元表示データが生成される。その後、ホスト装置Ｈ１は、表示データに基づいて図１０（ａ）に示すような３Ｄオブジェクトをディスプレイ４０に表示させる（Ｓ１０６）。
【００４７】
図９は、ＣＭ平面において３Ｄオブジェクトを構成する三角形を模式的に示している。３Ｄオブジェクトの外郭面にカラー情報を付す際、外郭面をポリゴンとして三角形に分割することにしている。ＣＭＹの元空間１９０における平面上の４個の格子点Ｇ１で形成される四角形の三角形への分割は、特に限定されないが、ＣＭＹの元空間１９０において白点側の点（Ｃｍｉｎ，Ｍｍｉｎ，Ｙｍｉｎ）から黒点側の点（Ｃｍａｘ，Ｍｍａｘ，Ｙｍａｘ）に向かう向きにしている。Ｃ１＜Ｃ２、及び、Ｍ１＜Ｍ２として、（Ｃ１，Ｍ１，Ｙ１）、（Ｃ１，Ｍ２，Ｙ１）、（Ｃ２，Ｍ２，Ｙ１）、及び、（Ｃ２，Ｍ１，Ｙ１）の４個の格子点Ｇ１で形成される四角形を分割する際、（Ｃ１，Ｍ１，Ｙ１）から（Ｃ２，Ｍ２，Ｙ１）に向かう向きに分割することになる。ＣＹ平面上、及び、ＭＹ平面上についても、同様である。三角形を形成すると、初期設定の色、又は、図１１の表示色設定画面４００において設定される色を３Ｄオブジェクトの外郭面に付す。図６に示す表示色設定ボタン３５０が操作されると、ＬＵＴ生成システムＳＹ１は、図１１に示すような表示色設定画面４００を表示する。
【００４８】
図１１に示す表示色設定画面４００は、３Ｄオブジェクトの外郭面に付す色を設定するための画面である。表示色設定画面４００には、各種表示領域４１０，４２０，４３０、及び、終了ボタン４４０が設けられている。終了ボタン４４０が操作されると、ＬＵＴ生成システムＳＹ１は、表示色設定画面４００を消す。
【００４９】
インク量カラー設定表示領域４１０には、各種入力欄４１１，４１２，４１３、及び、各種ボタン４１４，４１５が設けられている。ＬＵＴ生成システムＳＹ１は、反映ボタン４１５が操作されると、３Ｄオブジェクト外郭面の格子点Ｇ１のうち、赤色表示値入力欄４１１に操作入力されたインク使用量（Ｉｒとする）を有する部分を赤色で表示し、緑色表示値入力欄４１２に操作入力されたインク使用量（Ｉｇとする）を有する部分を緑色で表示し、青色表示値入力欄４１３に操作入力されたインク使用量（Ｉｂとする）を有する部分を青色で表示する。３Ｄオブジェクト外郭面の格子点Ｇ１のうち、ＩｒとＩｇの間にあるインク使用量（Ｉｒｇとする）を有する部分は、赤色と緑色を｛（Ｉｒｇ−Ｉｇ）／（Ｉｒ−Ｉｇ）｝：｛（Ｉｒ−Ｉｒｇ）／（Ｉｒ−Ｉｇ）｝の比で混合した色で表示する。３Ｄオブジェクト外郭面の格子点Ｇ１のうち、ＩｇとＩｂの間にあるインク使用量（Ｉｇｂとする）を有する部分は、緑色と青色を｛（Ｉｇｂ−Ｉｂ）／（Ｉｇ−Ｉｂ）｝：｛（Ｉｇ−Ｉｇｂ）／（Ｉｇ−Ｉｂ）｝の比で混合した色で表示する。３Ｄオブジェクトの外郭面のうち格子点Ｇ１でない部分については、分割された三角形毎に線形補間を行って得られる色で表示する。尚、初期化ボタン４１４が操作されると、ＬＵＴ生成システムＳＹ１は、入力欄４１１，４１２，４１３のインク使用量を初期値に戻す。
【００５０】
図６に示す粒状性ラジオボタン３２３が選択操作されると、ホスト装置Ｈ１は、色空間１００においてCrop表示領域３４０で設定された範囲の外郭面に座標値Ｌｉ，ａｉ，ｂｉに応じた粒状性情報１３０を有する色空間画像１１０の疑似三次元表示データを生成する（Ｓ１１４）。粒状性情報１３０は、色変換プロファイルＰＲ１の色空間１００の座標値Ｌｉ，ａｉ，ｂｉに応じたインクＣＭＹＫ…の粒状性指数ＧＩを初期設定の色、又は、図１１の表示色設定画面４００において設定される色で表す情報である。その後、ホスト装置Ｈ１は、表示データに基づいて図１０（ｂ）に示すような３Ｄオブジェクトをディスプレイ４０に表示させる（Ｓ１０６）。
【００５１】
図１１に示す粒状性カラー設定表示領域４２０には、各種入力欄４２１，４２２，４２３、及び、各種ボタン４２４，４２５が設けられている。ＬＵＴ生成システムＳＹ１は、反映ボタン４２５が操作されると、３Ｄオブジェクト外郭面の格子点Ｇ１のうち、赤色表示値入力欄４２１に操作入力されたＧＩ（ＧＩｒとする）を有する部分を赤色で表示し、緑色表示値入力欄４２２に操作入力されたＧＩ（ＧＩｇとする）を有する部分を緑色で表示し、青色表示値入力欄４２３に操作入力されたＧＩ（ＧＩｂとする）を有する部分を青色で表示する。３Ｄオブジェクト外郭面の格子点Ｇ１のうち、ＧＩｒとＧＩｇの間にあるＧＩ（ＧＩｒｇとする）を有する部分は、赤色と緑色を｛（ＧＩｒｇ−ＧＩｇ）／（ＧＩｒ−ＧＩｇ）｝：｛（ＧＩｒ−ＧＩｒｇ）／（ＧＩｒ−ＧＩｇ）｝の比で混合した色で表示する。３Ｄオブジェクト外郭面の格子点Ｇ１のうち、ＧＩｇとＧＩｂの間にあるＧＩ（ＧＩｇｂとする）を有する部分は、緑色と青色を｛（ＧＩｇｂ−ＧＩｂ）／（ＧＩｇ−ＧＩｂ）｝：｛（ＧＩｇ−ＧＩｇｂ）／（ＧＩｇ−ＧＩｂ）｝の比で混合した色で表示する。３Ｄオブジェクトの外郭面のうち格子点Ｇ１でない部分については、分割された三角形毎に線形補間を行って得られる色で表示する。尚、初期化ボタン４２４が操作されると、ＬＵＴ生成システムＳＹ１は、入力欄４２１，４２２，４２３のＧＩを初期値に戻す。
【００５２】
図６に示すＬ*ａ*ｂ*ラジオボタン３２４が選択操作されると、ホスト装置Ｈ１は、色空間１００においてCrop表示領域３４０で設定された範囲の外郭面に座標値Ｌｉ，ａｉ，ｂｉに応じた色情報１４０を有する色空間画像１１０の疑似三次元表示データを生成する（Ｓ１１６）。色情報１４０は、色変換プロファイルＰＲ１の色空間１００の座標値Ｌｉ，ａｉ，ｂｉに対応した色で表す情報である。その後、ホスト装置Ｈ１は、表示データに基づいて図１０（ｃ）に示すような３Ｄオブジェクトをディスプレイ４０に表示させる（Ｓ１０６）。
【００５３】
図６に示す色差ラジオボタン３２５が選択操作されると、ＬＵＴ生成システムＳＹ１は、光源選択欄３２６から観察光源の選択操作を受け付け、選択操作された観察光源を設定光源として記憶する。ホスト装置Ｈ１は、光源選択欄３２６で受け付けた設定光源について、色空間１００においてCrop表示領域３４０で設定された範囲の外郭面に座標値Ｌｉ，ａｉ，ｂｉに応じた色差情報１５０を有する色空間画像１１０の疑似三次元表示データを生成する（Ｓ１１８）。色差情報１５０は、色変換プロファイルＰＲ１の色空間１００の座標値、すなわち、Ｄ５０光源下の色彩値Ｌｉ，ａｉ，ｂｉと設定光源下の色彩値Ｌ２ｉ，ａ２ｉ，ｂ２ｉとの色差ΔＥを初期設定の色、又は、図１１の表示色設定画面４００において設定される色で表す情報である。その後、ホスト装置Ｈ１は、表示データに基づいて図１０（ｄ）に示すような３Ｄオブジェクトをディスプレイ４０に表示させる（Ｓ１０６）。
【００５４】
図１１に示す色差カラー設定表示領域４３０には、各種入力欄４３１，４３２，４３３、及び、各種ボタン４３４，４３５が設けられている。ＬＵＴ生成システムＳＹ１は、反映ボタン４３５が操作されると、３Ｄオブジェクト外郭面の格子点Ｇ１のうち、赤色表示値入力欄４３１に操作入力された色差ΔＥ（ΔＥｒとする）を有する部分を赤色で表示し、緑色表示値入力欄４３２に操作入力された色差ΔＥ（ΔＥｇとする）を有する部分を緑色で表示し、青色表示値入力欄４３３に操作入力された色差ΔＥ（ΔＥｂとする）を有する部分を青色で表示する。３Ｄオブジェクト外郭面の格子点Ｇ１のうち、ΔＥｒとΔＥｇの間にある色差ΔＥ（ΔＥｒｇとする）を有する部分は、赤色と緑色を｛（ΔＥｒｇ−ΔＥｇ）／（ΔＥｒ−ΔＥｇ）｝：｛（ΔＥｒ−ΔＥｒｇ）／（ΔＥｒ−ΔＥｇ）｝の比で混合した色で表示する。３Ｄオブジェクト外郭面の格子点Ｇ１のうち、ΔＥｇとΔＥｂの間にある色差ΔＥ（ΔＥｇｂとする）を有する部分は、緑色と青色を｛（ΔＥｇｂ−ΔＥｂ）／（ΔＥｇ−ΔＥｂ）｝：｛（ΔＥｇ−ΔＥｇｂ）／（ΔＥｇ−ΔＥｂ）｝の比で混合した色で表示する。３Ｄオブジェクトの外郭面のうち格子点Ｇ１でない部分については、分割された三角形毎に線形補間を行って得られる色で表示する。尚、初期化ボタン４３４が操作されると、ＬＵＴ生成システムＳＹ１は、入力欄４３１，４３２，４３３の色差ΔＥを初期値に戻す。
【００５５】
図１０（ａ）〜（ｄ）等に示す色空間画像１１０から格子点Ｇ１が選択操作され、図６に示すインク量調整ボタン３６０が操作されると、ＬＵＴ生成システムＳＹ１は、図１２に示すようなインク量調整画面５００を表示する（Ｓ１２０）。図１２に示すインク量調整画面５００は、選択操作された格子点Ｇ１について、色彩値Ｌｉ，ａｉ，ｂｉの現在値表示欄５１０、インク使用量Ｃｉ，Ｍｉ，Ｙｉ，Ｋｉ，…の現在値表示欄５２０、色彩値の指定値入力欄５３０、インク使用量の指定値入力欄５４０、及び、各種ボタン５５０，５６０，５７０，５８０が設けられている。終了ボタン５８０が操作されると、ＬＵＴ生成システムＳＹ１は、インク量調整画面５００を消し、処理をＳ１０６に戻す。
【００５６】
色彩値の指定値入力欄５３０には、選択操作された格子点Ｇ１について、指定する色彩値（ＬＩｉ，ａＩｉ，ｂＩｉとする）を操作入力可能である。尚、色彩値を修正することは、格子点Ｇ１を動かすことを意味する。画面指定ボタン５５０が操作されると、ＬＵＴ生成システムＳＹ１は、色空間画像１１０の表示画面上で格子点Ｇ１の位置を設定する操作入力を受け付け、受け付けた格子点Ｇ１の位置に対応する色彩値を指定値入力欄５３０に表示する。操作後の指定値入力欄５３０の色彩値は、インク使用量Ｃｉ，Ｍｉ，Ｙｉ，Ｋｉ，…と対応していない。インク使用量を色彩値の指定値に対応させるため、反映ボタン５６０が操作されると、ＬＵＴ生成システムＳＹ１は、指定値入力欄５３０に表示されている色彩値の指定値ＬＩｉ，ａＩｉ，ｂＩｉをインク量予測システムＳＹ２に渡し、処理をＳ１０６に戻す。
【００５７】
インク使用量の指定値入力欄５４０には、選択操作された格子点Ｇ１について、指定するインク使用量（ＣＩｉ，ＭＩｉ，ＹＩｉ，ＫＩｉ，…）を操作入力可能である。操作後の指定値入力欄５４０のインク使用量は、色彩値Ｌｉ，ａｉ，ｂｉと対応していない。色彩値をインク使用量の指定値に対応させるため、反映ボタン５７０が操作されると、ＬＵＴ生成システムＳＹ１は、指定値入力欄５４０に表示されているインク使用量の指定値ＣＩｉ，ＭＩｉ，ＹＩｉ，ＫＩｉ，…をインク量予測システムＳＹ２に渡し、処理をＳ１０６に戻す。
尚、Ｓ１０６において、色空間画像１１０から別の格子点Ｇ１が選択操作され、図６に示すインク量調整ボタン３６０が操作されると、別の格子点Ｇ１について色彩値やインク使用量を指定することができる。
【００５８】
図６に示すプロファイル修正ボタン３７０が操作されると、ＬＵＴ生成システムＳＹ１は、インク量予測システムＳＹ２に色変換プロファイルＰＲ１の修正を指示する。インク量予測システムＳＹ２は、色彩値の指定値ＬＩｉ，ａＩｉ，ｂＩｉを受け取った格子点Ｇ１について、インク使用量を予測して色変換プロファイルＰＲ１を修正する。また、インク使用量の指定値ＣＩｉ，ＭＩｉ，ＹＩｉ，ＫＩｉ，…を受け取った格子点Ｇ１については、色彩値を予測して色変換プロファイルＰＲ１を修正する。インク量予測システムＳＹ２は、修正後の色変換プロファイルＰＲ１のインク使用量に基づいて、新たな粒状性指数ＧＩを算出して色変換プロファイルＰＲ１を修正する。また、修正後の色変換プロファイルＰＲ１の色彩値に基づいて、各観察光源の新たな色差ΔＥを算出して色変換プロファイルＰＲ１を修正する。修正後の色変換プロファイルＰＲ１は、Ｓ１０４において読み込まれ、Ｓ１０６において修正後の色空間画像１１０が疑似三次元表示される。図６に示す粒状性ラジオボタン３２３が選択操作されると、座標値Ｌｉ，ａｉ，ｂｉに応じたインクＣＭＹＫ…の粒状性指数ＧＩを色で表す粒状性情報１３０を有する色空間画像１１０が疑似三次元表示される。
【００５９】
以上説明したように、色空間を表す色変換画像が種々の態様で疑似三次元表示されるので、色変換プロファイルの色空間における階調性、ガマット、色再現性、等を容易に確認することができる。
また、色変換プロファイルＰＲ１に規定されているインク使用量Ｃｉ，Ｍｉ，Ｙｉ，Ｋｉ，…が変更されると、粒状性指数ＧＩが修正され、座標値Ｌｉ，ａｉ，ｂｉに応じたインクＣＭＹＫ…の粒状性を表す粒状性情報１３０が色空間画像１１０に疑似三次元表示される。これにより、ユーザーは、インク使用量を変更して粒状性情報１３０の疑似三次元表示を視認することを繰り返すことができ、色変換プロファイルＰＲ１のインクの粒状性を視覚的及び定量的に評価することができる。従って、本技術は、色変換プロファイルＰＲ１のインクの粒状性を容易に改善することが可能である。
【００６０】
尚、図６に示す終了ボタン３８０が操作されると、ＬＵＴ生成システムＳＹ１は、操作画面３００を消し、図４に示す色変換プロファイル修正処理を終了させる。
【００６１】
（４）インク使用量から色彩値を予測する方法の例：
インク量予測システムＳＹ２が行う色彩値の予測は、例えば、以下のようにして行うことができる。
まず、分光エネルギーＰ（λ）の分布を有する観察光源の下でターゲット（パッチ）から色彩値を得ることを想定する。ターゲットの分光反射率Ｒt（λ）は、通常、全可視波長領域において均一でない分布を有している。ターゲットに光源を照射したときの各波長の反射光の分光エネルギーは、ターゲット分光反射率Ｒt（λ）と分光エネルギーＰ（λ）を各波長について掛け合わせた値となる。さらに、反射光の分光エネルギーのスペクトルに対して人間の分光感度特性に応じた等色関数ｘ（λ），ｙ（λ），ｚ（λ）をそれぞれ畳み込み積分し、係数ｋによって正規化することにより、３刺激値Ｘ，Ｙ，Ｚを得ることができる。
【数１】
2016058765.tif 000003
上記３刺激値Ｘ，Ｙ，Ｚを所定の変換式によって変換することにより、色彩値Ｌ*ａ*ｂ*を予測することができる。
【００６２】
そこで、ターゲットとする被印刷物に対して記録濃度を変えて形成したインクＣＭＹＫ…の各パッチの分光反射率を測定しておけば、測定データに基づいてインク使用量の指定値ＣＩｉ，ＭＩｉ，ＹＩｉ，ＫＩｉ，…に対応する分光反射率Ｒt（λ）を求めることができる。この分光反射率Ｒt（λ）を上記（１）式に当てはめて３刺激値Ｘ，Ｙ，Ｚを求めると、この３刺激値Ｘ，Ｙ，Ｚを所定の変換式によって色彩値に変換することができる。この色彩値を色変換プロファイルＰＲ１に格納することにより、色変換プロファイルＰＲ１の色彩値を修正することができる。
むろん、上記以外の方法でインク使用量から色彩値を予測してもよい。また、色変換プロファイルの色彩値を修正した後、色変換プロファイル全体として格子点の配置を滑らかにするスムージング処理を行い、格子点の位置を調整してもよい。
【００６３】
（５）色彩値からインク使用量を予測する方法の例：
インク量予測システムＳＹ２が行うインク使用量の予測は、例えば、以下のようにして行うことができる。
図１３は、ターゲット色彩値ＬＩｉ，ａＩｉ，ｂＩｉと同様の色を再現可能なインク量セットφを算出するインク量予測システムＳＹ２の処理の流れを模式的に例示している。インクがＣＭＹＫ…である場合、インク量セットφは、吐出するＣＭＹＫ…インクの使用量（ＣＪｉ，ＭＪｉ，ＹＪｉ，ＫＪｉ，…とする）の組合せを意味する。
【００６４】
インク量予測システムＳＹ２は、インク量セット算出モジュール（ＩＣＭ）８０１、分光反射率予測モジュール（ＲＰＭ）８０２、色算出モジュール（ＣＣＭ）８０３、評価値算出モジュール（ＥＣＭ）８０４、粒状性指数算出部８０５を備える。
インク量セット算出モジュール（ＩＣＭ）８０１は、色彩値の指定値ＬＩｉ，ａＩｉ，ｂＩｉをターゲット色彩値として取得する。
分光反射率予測モジュール（ＲＰＭ）８０２は、ＩＣＭ ８０１からの初期のインク量セットφ（インク使用量ＣＪｉ，ＭＪｉ，ＹＪｉ，ＫＪｉ，…）の入力に応じて、プリンターが被印刷物にインクを吐出させたときの分光反射率Ｒ（λ）を予測分光反射率Ｒs（λ）として予測する。インク量セットφを指定すれば被印刷物上における各インクドットの形成状態が予測できるため、ＲＰＭ ８０２は一意に予測分光反射率Ｒs（λ）を算出することができる。
【００６５】
ここで、図１４〜１６を参照して、ＲＰＭ ８０２に用いられる予測モデル（分光プリンティングモデル）を説明する。図１４は、分光反射率データベースＲＤＢの構造を模式的に例示している。本実施形態のインク量空間は４次元以上あるが、図の簡略化のためＣＭ面のみ示している。分光反射率データベースＲＤＢは、インク量空間における複数の格子点のインク量セット（ＣＪｉ，ＭＪｉ，ＹＪｉ，ＫＪｉ，…）について実際に印刷及び測定をして得られた分光反射率Ｒ（λ）が記述された情報テーブルとなっている。この情報テーブルは、各インク量軸を複数に分割する格子点を有している。ＲＰＭ ８０２は、ＩＣＭ ８０１の要請に応じて分光反射率データベースＲＤＢを使用したセル分割ユール・ニールセン分光ノイゲバウアモデルによる予測を実行する。
【００６６】
図１５は、分光ノイゲバウアモデルを模式的に例示している。分光ノイゲバウアモデルでは、任意のインク量セット（ｄc，ｄm，ｄyとする）で印刷したときの印刷物の予測分光反射率Ｒs（λ）が以下の式で与えられる。
【数２】
2016058765.tif 000004
ここで、ａiはｉ番目の領域の面積率であり、Ｒi（λ）はｉ番目の領域の分光反射率である。ここでの添え字ｉは、インクの無い領域（ｗ）と、シアンインクのみの領域（ｃ）と、マゼンタインクのみの領域（ｍ）と、イエローインクのみの領域（ｙ）と、マゼンタインクとイエローインクが吐出される領域（ｒ）と、イエローインクとシアンインクが吐出される領域（ｇ）と、シアンインクとマゼンタインクが吐出される領域（ｂ）と、ＣＭＹの３つのインクが吐出される領域（ｋ）をそれぞれ意味している。また、ｆc，ｆm，ｆyは、ＣＭＹ各インクを１種類のみ吐出したときにそのインクで覆われる面積の割合（「インク被覆率(Ink area coverage)」と呼ぶ。）である。
【００６７】
インク被覆率ｆc，ｆm，ｆyは、図１５（Ｂ）に示すマーレイ・デービスモデルで与えられる。マーレイ・デービスモデルでは、例えばシアンインクのインク被覆率ｆcは、シアンのインク量ｄcの非線形関数であり、例えば１次元ルックアップテーブルによってインク量ｄcをインク被覆率ｆcに換算することができる。他の種類のＭＹインクについても同様である。
【００６８】
分光反射率に関するユール・ニールセンモデルを適用すると、前記（２）式は以下の（３ａ）式又は（３ｂ）式に書き換えられる。
【数３】
2016058765.tif 000005
ここで、ｎは１以上の所定の係数であり、例えばｎ＝１０に設定することができる。（３ａ）式及び（３ｂ）式は、ユール・ニールセン分光ノイゲバウアモデル(Yule-Nielsen Spectral Neugebauer Model)を表す式である。
【００６９】
本実施形態で採用するセル分割ユール・ニールセン分光ノイゲバウアモデル(Cellular Yule-Nielsen Spectral Neugebauer Model)は、上述したユール・ニールセン分光ノイゲバウアモデルのインク量空間を複数のセルに分割したものである。
【００７０】
図１６（Ａ）は、セル分割ユール・ニールセン分光ノイゲバウアモデルにおけるセル分割の例を示している。ここでは、説明の簡略化のため、ＣＭインクのインク量ｄc，ｄmの２つの軸を含む２次元インク量空間でのセル分割を描いている。インク被覆率ｆc，ｆmは、上述したマーレイ・デービスモデルにてインク量ｄc，ｄmと一意の関係にあるため、インク被覆率ｆc，ｆmを示す軸と考えることもできる。白丸は、セル分割のグリッド点（「格子点」と呼ぶ。）であり、２次元のインク量（被覆率）空間が９つのセルＣ１〜Ｃ９に分割されている。各格子点に対応するインク量セット（ｄc，ｄm）は、分光反射率データベースＲＤＢに規定された格子点に対応するインク量セットとされている。すなわち、上述した分光反射率データベースＲＤＢを参照することにより、各格子点の分光反射率Ｒ（λ）を得ることができる。従って、各格子点の分光反射率Ｒ（λ）00，Ｒ（λ）10，Ｒ（λ）20・・・Ｒ（λ）33は、分光反射率データベースＲＤＢから取得することができる。本実施形態では、セル分割が６次元以上のインク量空間で行われ、各格子点の座標も４次元以上のインク量セットφ（ＣＪｉ，ＭＪｉ，ＹＪｉ，ＫＪｉ，…）によって表される。
【００７１】
図１６（Ｂ）は、セル分割モデルにて使用するインク被覆率ｆcとインク量ｄcとの関係を示している。ここでは、１種類のインクのインク量の範囲０〜ｄcmaxも３つの区間に分割され、区間毎に０から１まで単調に増加する非線形の曲線によってセル分割モデルにて使用する仮想的なインク被覆率ｆcが求められる。他のインクについても同様にインク被覆率ｆm，ｆyが求められる。
【００７２】
図１６（Ｃ）は、図１６（Ａ）の中央のセルＣ５内にある任意のインク量セット（ｄc，ｄm）にて印刷を行った場合の予測分光反射率Ｒs（λ）の算出方法を示している。インク量セット（ｄc，ｄm）にて印刷を行った場合の予測分光反射率Ｒs（λ）は、以下の式で与えられる。
【数４】
2016058765.tif 000006
【００７３】
ここで、（４）式におけるインク被覆率ｆc，ｆmは図１６（Ｂ）のグラフで与えられる値である。また、セルＣ５を囲む４つの格子点に対応する分光反射率Ｒ（λ）11，（λ）12，（λ）21，（λ）22は分光反射率データベースＲＤＢを参照することにより取得することができる。これにより、（４）式の右辺を構成するすべての値を確定することができ、その計算結果として任意のインク量セットφ（ｄc，ｄm）にて印刷を行った場合の予測分光反射率Ｒs（λ）を算出することができる。波長λを可視波長域にて順次シフトさせていくことにより、可視光領域における予測分光反射率Ｒs（λ）を得ることができる。
以上のようにして、ＲＰＭ ８０２は、ＩＣＭ ８０１の要請に応じて予測分光反射率Ｒs（λ）を予測する。
【００７４】
色算出モジュール（ＣＣＭ）８０３は、予測分光反射率Ｒs（λ）の物体に観察光源を照射したときの予測色彩値を算出する。予測色彩値を算出する流れは、上記（１）式に示したものと同様である。
【数５】
2016058765.tif 000007
（５）式に示すように、予測分光反射率Ｒs（λ）に各光源の分光エネルギーのスペクトルを乗算し、等色関数による畳み込み積分をし、さらに３刺激値をＬ*ａ*ｂ*値に変換することにより、予測色彩値Ｌd，ａd，ｂdが求まる。
【００７５】
評価値算出モジュール（ＥＣＭ）８０４は、Ｄ５０光源（基準光源）についてターゲット色彩値ＬＩｉ，ａＩｉ，ｂＩｉと予測色彩値Ｌd，ａd，ｂdとの色差ΔＥを評価値Ｉ（φ）として算出する。
【００７６】
ＩＣＭ８０１がインク量セットφをＲＰＭ ８０２とＣＣＭ ８０３とＥＣＭ ８０４に出力することにより、最終的に評価値Ｉ（φ）がＩＣＭ ８０１に返される。ＩＣＭ ８０１は、インク量セットφに対応する評価値Ｉ（φ）を算出することを繰り返すことにより、目的関数としての評価値Ｉ（φ）が極小化するようなインク量セットφの最適解を算出する。この最適解を算出する手法としては、例えば勾配法といった非線形最適化手法を用いることができる。最適化処理の終了条件は、例えば、評価値Ｉ（φ）が所定の閾値以下となったときとすることができる。このようにして、インク量予測システムＳＹ２は、インク使用量ＣＪｉ，ＭＪｉ，ＹＪｉ，ＫＪｉ，…を予測する。インク使用量ＣＪｉ，ＭＪｉ，ＹＪｉ，ＫＪｉ，…を色変換プロファイルＰＲ１に格納することにより、色変換プロファイルＰＲ１のインク使用量を修正することができる。また、修正後の色変換プロファイルＰＲ１に基づいてＣＭＹ表色系の座標値Ｃ０ｉ，Ｍ０ｉ，Ｙ０ｉと修正後のインク使用量Ｃｉ，Ｍｉ，Ｙｉ，Ｋｉ，…とを対応付けると、ＬＵＴ２００を生成することができる。
むろん、上記以外の方法で色彩値からインク使用量を予測してもよい。また、演算途中のインク量セットφから粒状性指数ＧＩを求め、この粒状性指数ＧＩを評価値Ｉ（φ）に反映させてもよい。さらに、色変換プロファイルのインク使用量を修正した後、色変換プロファイル全体として各格子点のインク使用量の変化を滑らかにするスムージング処理を行い、インク使用量を調整してもよい。
【００７７】
（６）粒状性指数ＧＩを求める方法の例：
粒状性指数算出部８０５は、インク使用量Ｃｉ，Ｍｉ，Ｙｉ，Ｋｉ，…が変更された格子点Ｇ１について、変更後のインク使用量Ｃｉ，Ｍｉ，Ｙｉ，Ｋｉ，…に基づいて粒状性指数ＧＩを算出し、色変換プロファイルＰＲ１に格納する。インクの粒状性を定量化する粒状性指数ＧＩは、例えば、以下の式で表すことができる。
【数６】
2016058765.tif 000008
ここで、ａLは明度補正項、ＷＳ（ｕ）は画像のウイナースペクトラム、ＶＴＦは視覚の空間周波数特性、ｕは空間周波数、である。粒状性指数ＧＩの思想は、例えば、Makoto Fujino， Image Quality Evaluation of Inkjet Prints， Japan Hardcopy '99， pp. 291-294に示されている。なお、（６）式は一次元で示しているが、空間周波数ｕ，ｖの関数として二次元画像の空間周波数を算出することは容易である。
【００７８】
粒状性指数ＧＩは、ある色再現画像を観察者が視認したときに、その観察者が感じる粒状感（あるいはノイズの程度）である。ＧＩが小さい程、観察者が感じる粒状感は小さくなる。むろん、ＧＩは、色再現画像を形成したときの粒状性を評価する指標値であればよく、他の式を用いることも可能である。粒状性指数ＧＩを求める詳細は、例えば、特表2007-511161号公報に示されている。
【００７９】
Ｌ*ａ*ｂ*色空間の座標値Ｌｉ，ａｉ，ｂｉとインク使用量Ｃｉ，Ｍｉ，Ｙｉ，Ｋｉ，…との対応関係を規定した格子点Ｇ１における粒状性指数ＧＩは、各画素の画素値Ｃｐ，Ｍｐ，Ｙｐ，Ｋｐ，…をインク使用量Ｃｉ，Ｍｉ，Ｙｉ，Ｋｉ，…にした変換画像ＩＭ２（図１参照）に対するハーフトーン処理により得られる多値データ、すなわち、インク使用量Ｃｉ，Ｍｉ，Ｙｉ，Ｋｉ，…に対応したドットの形成状況を表す多値データに基づいて算出することができる。この多値データがあれば、実際に画像ＩＭ３を被印刷物Ｍ１に形成しなくてもドットの形成状況をシミュレートすることによってＧＩを求めることができる。尚、多値データは、ドットの形成有無を表す２値データでもよいし、大中小の各ドットといった異なるサイズのドットに対応可能な３階調以上の多値データでもよい。
また、被印刷物Ｍ１に形成された画像ＩＭ３をスキャナーといった画像読み取り装置等で読み取り、該読み取った情報に基づいて多値データを取得し、この多値データに基づいてＧＩを算出してもよい。
【００８０】
図１７は、粒状性指数ＧＩを算出する様子を模式的に例示している。まず、画像ＩＭ３を印刷するための多値データに基づいて、画像ＩＭ３の各画素について明度Ｌ（ｘ，ｙ）を求める。座標（ｘ，ｙ）にドットが形成されない場合には、被印刷物Ｍ１自体の明度がＬ（ｘ，ｙ）となる。座標（ｘ，ｙ）にドットが形成される場合、画素に対するドットの面積比と、ドットの部分の明度と、被印刷物Ｍ１自体の明度と、に基づいて（例えば明度の比例配分）、明度Ｌ（ｘ，ｙ）を算出する。図１７の左端に示すような明度Ｌ（ｘ，ｙ）が求まると、明度Ｌ（ｘ，ｙ）に対してＦＦＴ（Fast Fourier Transformation）を実施し、空間周波数のスペクトルＳ（ｕ，ｖ）を得る。スペクトルＳ（ｕ，ｖ）は実部Ｒｅ（ｕ，ｖ）と虚部Ｉｍ（ｕ，ｖ）とからなり、Ｓ（ｕ，ｖ）＝Ｒｅ（ｕ，ｖ）＋ｊＩｍ（ｕ，ｖ）である。このスペクトルＳ（ｕ，ｖ）は、上述のウイナースペクトラムに相当する。
【００８１】
次に、座標（ｕ，ｖ）に対応した空間周波数（cycle/mm）の大きさｆ（ｕ，ｖ）を算出するため、シミュレート対象となっている画像ＩＭ３の最低周波数を算出する。この最低周波数は、シミュレート対象の多値データで形成される画像ＩＭ３において１回振動する周波数であり、Ｘ方向（例えば主走査方向）とＹ方向（例えば副走査方向）とのそれぞれについて定義される。例えば、１インチを２５．４mmとして、Ｘ方向の最低周波数ｅuはＸ解像度／（Ｘ方向の画素数×２５．４）、Ｙ方向の最低周波数ｅvはＹ解像度／（Ｙ方向の画素数×２５．４）と定義される。任意の座標（ｕ，ｖ）における空間周波数の大きさｆ（ｕ，ｖ）は、｛（ｅu・ｕ）2＋（ｅv・ｖ）2｝1/2として算出可能である。
【００８２】
一方、人間の目は、空間周波数の大きさｆ（ｕ，ｖ）に応じて明度に対する感度が異なる。当該視覚の空間周波数特性は、例えば、図１７の中央下部に示すＶＴＦ（ｆ）のような特性を示す。このＶＴＦ（ｆ）は、ＶＴＦ（ｆ）＝5.05×exp（−0.138・ｄ・π・ｆ／１８０）×｛１−exp（−0.1・ｄ・π・ｆ／１８０）｝である。ここで、ｄは色再現画像と目の距離であり、ｆは空間周波数の大きさｆである。このｆは（ｕ，ｖ）の関数として表現されているので、視覚の空間周波数特性ＶＴＦは（ｕ，ｖ）の関数ＶＴＦ（ｕ，ｖ）とすることができる。ＶＴＦが得られたら、当該ＶＴＦの２乗とスペクトルＳ（ｕ，ｖ）の２乗とを乗じ、全画素（ｕ，ｖ）について積分を行う。得られる積分値（Ｐｏｗとする。）の平方根を全画素数で除して規格化すると、元の多値データの画素数に依存しない客観的な指数（Ｉｎｔとする。）が算出される。
Ｉｎｔ＝Ｐｏｗ1/2／全画素数
尚、多値データの画素数を常に同じ画素数として粒状性を評価するのであれば、必ずしも規格化しなくてもよい。
【００８３】
粒状性指数ＧＩは、画像ＩＭ３全体の明度による影響を考慮してもよい。空間周波数のスペクトルが同じであっても画像全体が明るい場合と暗い場合とでは人間の目に異なった印象を与えるので、全体が明るい方が粒状性を感じやすいものとして補正を行ってもよい。このため、例えば、画像ＩＭ３の全画素の明度の平均（Ａｖｅとする。）を算出し、画像全体の明るさによる補正係数ａ（Ｌ）＝｛（Ａｖｅ＋１６）／１１６｝0.8を上記Ｉｎｔに乗じて粒状性指数ＧＩとしてもよい。
ＧＩ＝ａ（Ｌ）・Ｉｎｔ
補正係数ａ（Ｌ）は、上述の明度補正項ａLに相当する。
【００８４】
粒状性指数算出部８０５は、粒状性指数ＧＩを求めると、色変換プロファイルＰＲ１に格納する。その後、図６に示す粒状性ラジオボタン３２３が選択操作されると、座標値Ｌｉ，ａｉ，ｂｉに応じたインクＣＭＹＫ…の粒状性指数ＧＩを色で表す粒状性情報１３０を有する色空間画像１１０が疑似三次元表示される。従って、ユーザーは、インク使用量変更後の座標値Ｌｉ，ａｉ，ｂｉに応じたインクＣＭＹＫ…の粒状性を表す粒状性情報１３０を素早く視認することができ、色変換プロファイルＰＲ１のインクの粒状性を容易に改善することが可能である。
【００８５】
（７）変形例：
本発明は、種々の変形例が考えられる。
例えば、図２で示したカラー無しの色空間画像、図１０（ａ）で示した使用量情報１２０が表された色空間画像、図１０（ｂ）で示した粒状性情報１３０が表された色空間画像、図１０（ｃ）で示した色情報１４０表された色空間画像、図１０（ｄ）で示した色差情報１５０表された色空間画像、の中から選ばれる２以上の色空間画像を並べて同時に表示してもよい。すると、色変換プロファイルＰＲ１の複数の情報を一度に確認することができるので、利便性が向上し、例えば、色変換プロファイルの色材の粒状性をさらに容易に改善することが可能となる。
【００８６】
ＬＵＴ２００が４次元である場合、入力座標の一つを変更可能な一定値に設定すれば、本技術を適用することができる。例えば、ＬＵＴ２００の入力表色系がＣＭＹＫ表色系である場合、入力のＫ座標を変更可能な一定値に設定することにより、Ｋ座標が前記一定値である場合のＣＭＹ表色系において本技術を適用して色変換プロファイルにおける色空間を表す色空間画像を疑似三次元表示することができる。
【００８７】
色差情報は、色差ΔＥを表す情報以外にも、非色恒常性指数ＣＩＩ（Color Inconstancy Index）を表す情報等でもよい。非色恒常性指数ＣＩＩは、ある印刷物を異なる観察光源下で観察したときの色の見えの差を表す指数であり、大きいほど色の見えの差が大きく、小さいほど色の見えの差が小さい。非色恒常性指数ＣＩＩには、例えば、特表2007-511161号公報に示されるＣＩＩを用いることができる。非色恒常性指数ＣＩＩは、例えば、以下の式で表すことができる。
【数７】
2016058765.tif 000009
ここで、ΔＬ*は２つの異なる観察条件下におけるインク使用量Ｃｉ，Ｍｉ，Ｙｉ，Ｋｉ，…のパッチの明度差、ΔＣ*abは彩度差、ΔＨ*abは色相差、を示す。非色恒常性指数ＣＩＩの計算時には、２つの異なる観察条件下での色彩値は、色順応変換（ＣＡＴ）を用いて標準観察条件（例えば標準の光Ｄ６５の観察下）に変換される。ＣＩＩについては、Billmeyer and Saltzman's Principles of Color Technology， 3rd edition， John Wiley & Sons， Inc， 2000， p.129， pp．213-215を参照。
【００８８】
尚、（７）式の右辺は、CIE 1994年色差式において、明度と彩度の係数ｋL，ｋCの値を２に設定し、色相の係数ｋHの値を１に設定した色差ΔＥ*94(2:2)に相当する。CIE 1994年色差式では、（７）式の右辺の分母の係数ＳL，ＳC，ＳHは以下の式で与えられる。
ＳL＝1
ＳC＝1＋0.045Ｃ*ab
ＳH＝1＋0.015Ｃ*ab
【００８９】
例えば、標準観察光源をＤ６５光源として、インク使用量Ｃｉ，Ｍｉ，Ｙｉ，Ｋｉ，…に対応する格子点Ｇ１における非色恒常性指数ＣＩＩを求める場合について、説明する。ここで、Ｄ５０光源（第一光源）下での色の見えをＤ６５光源の対応色で表現した色彩値をＣＶ１とし、Ｆ１１光源（第二光源）下での色の見えをＤ６５光源の対応色で表現した色彩値をＣＶ２とする。色彩値ＣＶ１については、Ｄ５０光源下で上述した（１）式を用いて３刺激値Ｘ，Ｙ，Ｚを算出し、この３刺激値Ｘ，Ｙ，Ｚに色順応変換（例えばCIECAT02）を適用してＤ６５光源下での対応色を算出すると、Ｌ*ａ*ｂ*表色系の色彩値ＣＶ１を算出することができる。CIECAT02については、例えば、”The CIECAM02 Color Appearance Model”， Nathan Moroney et al.， IS&T/SID Tenth Color Imaging Conference， pp.23-27、及び、”The performance of CIECAM02”， Changjun Li et al.， IS&T/SID Tenth Color Imaging Conference， pp.28-31に記載されている。色彩値ＣＶ２については、Ｆ１１光源下で上述した（１）式を用いて３刺激値Ｘ，Ｙ，Ｚを算出し、この３刺激値Ｘ，Ｙ，Ｚに色順応変換を適用してＤ６５光源下での対応色を算出すると、Ｌ*ａ*ｂ*表色系の色彩値ＣＶ２を算出することができる。これらの色彩値ＣＶ１，ＣＶ２を利用すると、非色恒常性指数ＣＩＩを算出することができる。ＣＩＩは、色彩値ＣＶ１，ＣＶ２の色差を表している。
【００９０】
むろん、第一光源と第二光源の組合せは、互いに異なる光源の組合せであればよく、Ｄ５５，Ａ，Ｆ１，Ｆ２，Ｆ１２光源等が含まれてもよい。
また、ＣＩＩの算出に使用する色差式としては、他の式を用いることも可能である。
【００９１】
色空間１００の座標値Ｌｉ，ａｉ，ｂｉに応じた非色恒常性指数ＣＩＩを図２に示す色変換プロファイルＰＲ１に格納しておくと、前記ＣＩＩに基づいて座標値Ｌｉ，ａｉ，ｂｉに応じたＣＩＩを表す色差情報１５０（図１０（ｄ）参照）を色で表す色空間画像１１０を疑似三次元表示することができる。この変形例は、座標値Ｌｉ，ａｉ，ｂｉに応じたＣＩＩも色空間画像１１０に表されるので、色変換プロファイルの座標値に応じたＣＩＩを容易に把握することが可能となる。
【００９２】
尚、本技術には、図４のＳ１１０，Ｓ１１６，Ｓ１１８の処理の少なくとも一部を行わない場合も含まれる。
【００９３】
（８）結び：
以上説明したように、本発明によると、種々の態様により、色変換プロファイルの色材の粒状性を容易に把握することが可能な技術等を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００９４】
４０…ディスプレイ、１００…色空間、１１０…色空間画像、１２０…使用量情報、１３０…粒状性情報、１４０…色情報、１５０…色差情報、１９０…元空間、２００…ＬＵＴ（色変換テーブル）、３００…操作画面、４００…表示色設定画面、５００…インク量調整画面、Ｆ１…ＬＵＴ特性ファイル、Ｇ１…格子点、ＩＭ１〜ＩＭ３…画像、ＰＧ０…画像処理プログラム、ＰＲ１…色変換プロファイル、ＳＹ１…ＬＵＴ生成システム、ＳＹ２…インク量予測システム、ＳＹＰ…印刷システム、Ｕ０…画像処理装置、Ｕ１…色空間画像生成部、Ｕ２…使用量情報表示制御部、Ｕ３…粒状性情報表示制御部、Ｕ４…使用量調整部、Ｕ５…色情報表示制御部、Ｕ６…色差情報表示制御部、Ｕ１０…表示制御装置。
【図１】
2016058765.tif 000010
【図２】
2016058765.tif 000011
【図３】
2016058765.tif 000012
【図４】
2016058765.tif 000013
【図５】
2016058765.tif 000014
【図６】
2016058765.tif 000015
【図７】
2016058765.tif 000016
【図８】
2016058765.tif 000017
【図９】
2016058765.tif 000018
【図１２】
2016058765.tif 000019
【図１３】
2016058765.tif 000020
【図１４】
2016058765.tif 000021
【図１５】
2016058765.tif 000022
【図１６】
2016058765.tif 000023
【図１７】
2016058765.tif 000024
【図１０】
2016058765.tif 000025
【図１１】
2016058765.tif 000026